(57)【要約】【課題】  単純な構造としながら磁気損失を小さくする電磁流量計を実現する。【解決手段】  測定管のパイプ内面に絶縁樹脂層を形成し、多孔性プレートを絶縁樹脂層内に埋設した電磁流量計に関するものである。多孔性プレートの磁界が通過する箇所に磁性部材を設けた。【選択図】                    図１
2006010315.tif 000002
【特許請求の範囲】
【請求項１】
測定管のパイプ内面に絶縁樹脂層を形成し、多孔性プレートを前記絶縁樹脂層内に埋設した電磁流量計において、
前記多孔性プレートの磁界が通過する箇所に磁性部材を設けたことを特徴とする電磁流量計。
【請求項２】
前記磁性部材は、磁性を有する多孔性プレートであることを特徴とする請求項１記載の電磁流量計。
【請求項３】
前記磁性を有する多孔性プレートは、前記多孔性プレートの一部を構成することを特徴とする請求項２記載の電磁流量計。
【請求項４】
前記磁性を有する多孔性プレートは、前記多孔性プレートに取り付けられていることを特徴とする請求項２記載の電磁流量計。
【発明の詳細な説明】
【技術分野】
【０００１】
本発明は、測定管のパイプ内面に絶縁樹脂層を形成し、絶縁樹脂層がパイプから剥離することを防ぐために多孔性プレートを絶縁樹脂層内に埋設した電磁流量計に関するものである。
【背景技術】
【０００２】
測定管内を流れる流体の流量を電磁誘導現象を利用して測定する電磁流量計においては、測定管の一部が金属のような導電物であると流体中に発生する起電力がアースに流れたり、ショートされ誤差を生じるので、測定管の接液面である管壁を絶縁樹脂層で被覆している。
この絶縁樹脂層は、金属との密着性が悪く測定管から剥離し易いため、通常絶縁樹脂層内に多孔性プレートを埋設し、絶縁樹脂層の剥離を防止している。
【０００３】
図４は従来における電磁流量計の構成例を示す模式的な断面図であり、図５は図４の従来例における測定管の軸方向断面図である。
図４及び図５で、測定管１のパイプ１０の内面に絶縁樹脂層１１が形成され、絶縁樹脂層１１内には多孔性プレート１２が埋設されている。
パイプ１０及び多孔性プレート１２には、例えば非磁性体のステンレス等が用いられ、絶縁樹脂層１１には、例えばフッ素樹脂やポリウレタン樹脂等が用いられる。
【０００４】
多孔性プレート１２は、多数の孔を有し、円管状に成形されており、パイプ１０に挿入され、多孔性プレート１２の両端の円周はパイプ１０に溶接等で固定されている。
絶縁樹脂層１１は、絶縁樹脂が多孔性プレート１２の多数の孔に入り込み多孔性プレート１２と一体となることにより補強され、剥離を防止することができる。
【０００５】
パイプ１０の外側上下に配置されたコイル１３に電流を流すことにより励磁して測定管１を流れる流体に対してその流れ方向と直交する磁界を印加し、流体の流れ方向及び磁界方向に直角な方向に配置された電極１４で流体に発生した起電力を検出する。磁界の中を流体が流れる時に発生する起電力は流体の平均流速に比例するので、流体の流量を測定することができる。
【０００６】
絶縁樹脂層に埋設する多孔性プレートを測定管のパイプ内面の突起部に固定することにより測定管のパイプ肉厚を薄くした電磁流量計として、例えば特許文献１に記載されたものがあった。
【特許文献１】特開平５−１８８００号公報
【発明の開示】
【発明が解決しようとする課題】
【０００７】
しかし、図４及び図５の従来例では次の問題点があった。
絶縁樹脂層の内径寸法、厚さ及びパイプの厚さは、それらの強度、性能、接続する配管の口径等から決まるため、単に絶縁樹脂層の内径寸法を小さくしたり、絶縁樹脂層及びパイプの厚さを薄くすることができない。
また、絶縁樹脂層の剥離を防止するため多孔性プレートが必要である電磁流量計においては、多孔性プレートの分だけ測定管の外形寸法が大きくなってしまう。
【０００８】
ここで、電磁流量計の磁気回路上の損失の中で最も大きいのは上下コイル間で挟まれる空隙の損失であるので、測定管の外形寸法が大きくなり上下コイル間の距離が長くなると磁気抵抗が大きくなることによって磁気損失が大きくなってしまうという問題点があった。
【０００９】
一方、測定管のパイプに溝をつけて強度を増し、パイプの厚さを薄くして測定管の外形寸法を小さくすることにより磁気損失を小さくするものがあるが、パイプに溝をつけるための特殊な加工が必要となるという問題点があった。
【００１０】
本発明は上述した問題点を解決するためになされたものであり、多孔性プレートの磁界が通過する箇所に磁性部材を設けたことによって、単純な構造としながら磁気損失を小さくする電磁流量計を実現することを目的とする。
【課題を解決するための手段】
【００１１】
このような課題を達成するために、本発明は次のとおりの構成になっている。
（１）測定管のパイプ内面に絶縁樹脂層を形成し、多孔性プレートを前記絶縁樹脂層内に埋設した電磁流量計において、
前記多孔性プレートの磁界が通過する箇所に磁性部材を設けたことを特徴とする電磁流量計。
【００１２】
（２）前記磁性部材は、磁性を有する多孔性プレートであることを特徴とする（１）記載の電磁流量計。
【００１３】
（３）前記磁性を有する多孔性プレートは、前記多孔性プレートの一部を構成することを特徴とする（２）記載の電磁流量計。
【００１４】
（４）前記磁性を有する多孔性プレートは、前記多孔性プレートに取り付けられていることを特徴とする（２）記載の電磁流量計。
【発明の効果】
【００１５】
本発明によれば次のような効果がある。
本発明では、絶縁樹脂層内に埋設されている多孔性プレートの磁界が通過する箇所に磁性部材を設けた。磁性部材の透磁率は高いため、磁気抵抗は小さくなる。
このことにより、測定管の外形寸法が大きい場合においても測定管の強度を損なうことなく磁気損失を小さくし、発生起電力を大きくすることができる。
【発明を実施するための最良の形態】
【００１６】
以下、図面を用いて本発明を詳細に説明する。
図１は本発明の一実施例を示す模式的な断面図であり、図２は図１の実施例における測定管の軸方向断面図である。前出の図と同一のものは同一符号を付ける。
図１及び図２で、測定管１のパイプ１０の内面に絶縁樹脂層１１が形成され、絶縁樹脂層１１内には多孔性プレート２０及び磁性を有する多孔性プレート（これを磁性体多孔性プレートとする）２１が埋設されている。
【００１７】
多孔性プレート２０の磁界が通過する箇所には磁性体多孔性プレート２１が設けられている。多孔性プレート２０には磁性体多孔性プレート２１を嵌め込むスペースが有り、このスペースに磁性体多孔性プレート２１が嵌め込まれ、多孔性プレート２０と溶接等をすることにより、磁性体多孔性プレート２１は多孔性プレート２０の一部を構成することになる。
【００１８】
多孔性プレート２０及び磁性体多孔性プレート２１は、多数の孔を有し、円管状に成形されており、パイプ１０に挿入され、多孔性プレート２０の両端の円周はパイプ１０に溶接等で固定されている。
絶縁樹脂層１１は、絶縁樹脂が多孔性プレート２０及び磁性体多孔性プレート２１の多数の孔に入り込み、多孔性プレート２０及び磁性体多孔性プレート２１と一体となることにより補強され、剥離を防止することができる。
【００１９】
また、磁界が通過する箇所に設けられている磁性体多孔性プレート２１の透磁率が高いため、磁気抵抗は小さくなり、磁気損失を小さくすることができる。
【００２０】
図３は本発明の他の実施例を示す模式的な断面図である。
図３で、多孔性プレート３０の磁界が通過する箇所には磁性体多孔性プレート３１が設けられている。磁性体多孔性プレート３１は多孔性プレート３０の内面に溶接等をすることにより取り付けられている。
この場合、図１及び図２と比べ多孔性プレート３０には特殊な加工が必要でなくなる。
この図では、磁性体多孔性プレート３１は多孔性プレート３０の内面に取り付けられているが、外面に取り付けられてもよい。
【００２１】
多孔性プレート３０及び磁性体多孔性プレート３１は、多数の孔を有し、円管状に成形されており、パイプ１０に挿入され、多孔性プレート３０の両端の円周はパイプ１０に溶接等で固定されている。
絶縁樹脂層１１は、絶縁樹脂が多孔性プレート３０及び磁性体多孔性プレート３１の多数の孔に入り込み、多孔性プレート３０及び磁性体多孔性プレート３１と一体となることにより補強され、剥離を防止することができる。
【００２２】
また、多孔性プレート３０に重ねて磁界を有する多孔性プレート３１が取り付けられているため、図１及び図２と比べ磁界を有する多孔性プレート３１の分だけ絶縁樹脂層１１が厚くなり、磁気抵抗は大きくなるが、磁界を有する多孔性プレート３１がないときと比べると、磁界が通過する箇所に設けられている磁性体多孔性プレート３１の透磁率が高いため、磁気抵抗は小さくなり、磁気損失を小さくすることができる。
【００２３】
多孔性プレート２０、３０には、例えば非磁性体のステンレス等が用いられ、磁性体多孔性プレート２１、３１には、例えば珪素鋼、磁性ステンレス、鉄、パーマロイ等が用いられる。
【図面の簡単な説明】
【００２４】
【図１】本発明の一実施例を示す模式的な断面図である。
【図２】図１の実施例における測定管の軸方向断面図である。
【図３】本発明の他の実施例を示す模式的な断面図である。
【図４】従来における電磁流量計の構成例を示す模式的な断面図である。
【図５】図４の従来例における測定管の軸方向断面図である。
【符号の説明】
【００２５】
１  測定管
１０  パイプ
１１  絶縁樹脂層
２０、３０  多孔性プレート
２１、３１  磁性体多孔性プレート
【図１】
2006010315.tif 000003
【図２】
2006010315.tif 000004
【図３】
2006010315.tif 000005
【図４】
2006010315.tif 000006
【図５】
2006010315.tif 000007